(57)【要約】    【課題】      排紙経路の複雑化やレイアウト自由度の低下を招くことなく、かつ画像形成後の記録媒体の確認や取り出しを容易にして利便性を高めること。    【解決手段】  手動複写モードでは、画像形成後の記録紙Ｐを、本体排紙経路１８４ａを通って本体排紙ローラ１６２により本体排紙部１６０の本体排紙台１６１上に排出し、自動複写モードおよび外部入力プリントモードでは、画像形成後の記録紙Ｐを、上面排紙経路１８３ａを通って上面排紙ローラ１５２により上面排紙部１５０の上面排紙台１５１上に排出して積載する。このように、前記自動複写モードおよび外部入力プリントモードにより画像形成された画像形成頻度の高い記録紙Ｐを、上面排紙モードにより装置本体上面部位に配設した上面排紙部１５０に排出することで、記録紙Ｐの確認や取り出しが容易になり利便性が向上される。  【選択図】      図１
2005306542.tif 000002
【特許請求の範囲】
【請求項１】
外部からの画像情報を受信する受信部と、原稿載置台を備え前記原稿載置台に載置された原稿を読み取る読取部と、記録媒体上に画像を形成する画像形成部と、画像形成後の記録媒体を積載する装置本体上面部位に配設した上面排紙部と、画像形成後の記録媒体を積載する前記上面排紙部とは異なる装置本体部位に配設した本体排紙部と、を有し、
前記外部からの画像情報による画像形成時は画像形成後の記録媒体を前記上面排紙部に排紙する上面排紙モードに切り替え、前記読取部からの画像情報による画像形成時は画像形成後の記録媒体を前記本体排紙部に排紙する本体排紙モードに切り替える排紙モード切替手段を具備することを特徴とする画像形成装置。
【請求項２】
前記原稿載置台に載置された前記原稿を覆う開閉自在の原稿カバーと、前記上面排紙モード時に前記原稿カバーを所定位置に係止する原稿カバーロック手段と、を具備することを特徴とする請求項１記載の画像形成装置。
【請求項３】
前記原稿カバーロック手段は、前記外部からの画像情報による画像形成の指示があったときに前記読取部が動作中であるときは、前記読取部の動作が終了してから所定時間経過後に、前記原稿カバーを所定位置に係止することを特徴とする請求項２記載の画像形成装置。
【請求項４】
前記原稿載置台に載置された原稿の有無を検出する手動原稿検出手段を有し、前記原稿カバーロック手段は、前記外部からの画像情報による画像形成の指示があったときに前記読取部が動作中であるときは、前記読取部の動作が終了し前記手動原稿検出手段が前記原稿載置台に載置された原稿が無いことを検出した後に、前記原稿カバーを所定位置に係止することを特徴とする請求項２記載の画像形成装置。
【請求項５】
前記本体排紙部を前記装置本体の胴部に配設したことを特徴とする請求項１から請求項４のいずれかに記載の画像形成装置。
【請求項６】
前記本体排紙部を前記装置本体の側面に配設したことを特徴とする請求項１から請求項４のいずれかに記載の画像形成装置。
【請求項７】
装置本体側面に配設した手差し給紙時に使用される手差トレイを有し、前記本体排紙部を前記手差トレイと同じ装置本体側面に配設したことを特徴とする請求項６記載の画像形成装置。
【請求項８】
前記本体排紙部が手差し給紙時に使用される手差トレイを兼ねていることを特徴とする請求項６記載の画像形成装置。
【請求項９】
前記外部からの画像情報を記憶する記憶手段を具備することを特徴とする請求項１から請求項８のいずれかに記載の画像形成装置。
【請求項１０】
前記原稿載置台に載置された原稿の有無を検出する手動原稿検出手段を有し、前記読取部の動作が終了し前記手動原稿検出手段が前記原稿載置台に載置された原稿が無いことを検出した後に、前記記憶手段に記憶されている前記外部からの画像情報による画像形成の指示を出すことを特徴とする請求項９記載の画像形成装置。
【請求項１１】
原稿載置台を備え前記原稿載置台に載置された原稿を読み取る読取部と、原稿給紙手段を備え前記原稿給紙手段により給紙される給紙原稿を読み取る自動原稿給紙装置と、記録媒体上に画像を形成する画像形成部と、画像形成後の記録媒体を積載する装置本体上面部位に配設した上面排紙部と、画像形成後の記録媒体を積載する前記上面排紙部とは異なる装置本体部位に配設した本体排紙部と、を有し、前記自動原稿給紙装置からの画像情報による画像形成時は画像形成後の記録媒体を前記上面排紙部に排紙する上面排紙モードに切り替え、前記読取部からの画像情報による画像形成時は画像形成後の記録媒体を前記本体排紙部に排紙する本体排紙モードに切り替える排紙モード切替手段を具備することを特徴とする画像形成装置。
【請求項１２】
外部からの画像情報を受信する受信部を有し、前記排紙モード切替手段は、前記外部からの画像情報による画像形成時は画像形成後の記録媒体を前記上面排紙部に排紙する上面排紙モードに切り替えることを特徴とする請求項１１記載の画像形成装置。
【請求項１３】
前記自動原稿給紙装置により給紙される給紙原稿の有無を検出する給紙原稿検出手段を有し、前記排紙モード切替手段は、前記給紙原稿検出手段が前記自動原稿給紙装置により給紙される給紙原稿があることを検出した場合に前記上面排紙モードに切り替え、前記給紙原稿検出手段が前記自動原稿給紙装置により給紙される給紙原稿が無いことを検出した場合に前記本体排紙モードに切り替えることを特徴とする請求項１１または請求項１２記載の画像形成装置。
【請求項１４】
前記原稿載置台上に載置された原稿を覆う原稿カバーと、前記上面排紙モード時に前記原稿カバーを所定位置に係止する原稿カバーロック手段と、を具備することを特徴とする請求項１１から請求項１３のいずれかに記載の画像形成装置。
【請求項１５】
前記本体排紙部を前記装置本体の胴部に配設したことを特徴とする請求項１１から請求項１４のいずれかに記載の画像形成装置。
【請求項１６】
前記本体排紙部を前記装置本体の側面に配設したことを特徴とする請求項１１から請求項１４のいずれかに記載の画像形成装置。
【請求項１７】
装置本体の側面に配設した手差し給紙時に使用される手差トレイを有し、前記本体排紙部を前記手差トレイと同じ装置本体側面に配設したことを特徴とする請求項１６記載の画像形成装置。
【請求項１８】
前記本体排紙部が手差し給紙時に使用される手差トレイを兼ねていることを特徴とする請求項１６記載の画像形成装置。
【請求項１９】
前記外部からの画像情報を記憶する記憶手段を具備することを特徴とする請求項１２から請求項１８のいずれかに記載の画像形成装置。
【請求項２０】
前記原稿載置台に載置された原稿の有無を検出する手動原稿検出手段を有し、前記読取部の動作が終了し前記手動原稿検出手段が前記原稿載置台に載置された原稿が無いことを検出した後に、前記記憶手段に記憶されている前記外部からの画像情報による画像形成の指示を出すことを特徴とする請求項１９記載の画像形成装置。
【請求項２１】
前記原稿カバーの開閉状態を検出する原稿カバー位置検出手段を有し、前記原稿カバーが閉じられた状態であることを前記原稿カバー位置検出手段が検出しているときのみ前記原稿カバーロック手段により前記原稿カバーを所定位置に係止することを特徴とする請求項２から請求項１０のいずれかまたは請求項１４から請求項２０のいずれかに記載の画像形成装置。
【請求項２２】
前記排紙モード切替手段は、前記原稿カバーの開閉動作に連動して、前記画像形成後の記録媒体の排紙経路を前記上面排紙モードおよび前記本体排紙モードに対応した経路に切り替える排紙経路切替手段からなることを特徴とする請求項２から請求項１０のいずれかまたは請求項１４から請求項２１のいずれかに記載の画像形成装置。
【発明の詳細な説明】
【技術分野】
【０００１】
本発明は、画像形成装置に関し、特に、紙文書（シート原稿）やブック原稿などを複写する複写機能、パーソナルコンピュータ（ＰＣ）などから送信される電子データなどをプリントアウトするプリント機能、およびファクシミリ（ＦＡＸ）などと送受信するファクシミリ機能等を有する多機能の複合機に用いて有用な画像形成装置に関する。
【背景技術】
【０００２】
一般のオフィス等で使われるこの種の多機能の画像形成装置においては、近年の文書データや画像データのデジタル化に伴って、ＰＣやＦＡＸ等から送信される電子データをプリントアウトする頻度が圧倒的に多くなっている。
【０００３】
この種の多機能の画像形成装置においては、上述のような電子データのプリントアウトの頻度が今後益々高くなる傾向にあるが、紙文書やブック原稿等の複写もたまには必要でとなるためこれらの読み取りを行う読取部も搭載しておく必要がある。
【０００４】
また、この種の従来の画像形成装置においては、一般的に、複写あるいはプリントされた画像形成後の記録媒体を、装置本体の側面の排紙部に突出するように設けた排紙トレイに排紙して積載するようにしている。
【０００５】
また、この種の従来の画像形成装置の装置本体の側面には、一般的に、手差し給紙などの特別な場合にのみ開放されその他の給紙時には収納される手差トレイが設けられている。なお、この手差トレイは、装置本体の側面の前記排紙部側と反対側の部位に配設されていることが多い。
【０００６】
しかしながら、このような構成の画像形成装置は、装置本体の側方に前記排紙トレイや手差トレイの突出領域を確保する必要があるため、見かけよりも大きな設置面積が必要となる。
【０００７】
そこで、近年、装置本体の上部に配置された読取部と、この読取部の下部に配置された画像形成部との間の装置本体の胴部に空間を形成し、この装置本体の胴部の空間に排紙部を設けた構成の画像形成装置が提案されている（例えば、特許文献１参照）。
【０００８】
この画像形成装置では、画像形成部の下部の給紙部から供給された記録媒体を、装置本体の胴部の空間に設けた排紙部に排紙するようにしているので、前記手差トレイを除いて装置本体の側面から突出するものがなく設置面積が小さくて済むという利点がある。
【０００９】
しかし、この画像形成装置は、その設置面積を小さくできる反面、排紙部の上方にユーザによって操作される操作パネルや読取部があるため、画像形成後の記録媒体の取り扱いが不便になるという不合理な構成を余儀なくされている。
【００１０】
すなわち、特許文献１記載の画像形成装置は、装置本体の胴部に設けられた排紙部に排紙されて積載された画像形成後の記録媒体が、読取部や装置本体前面の操作パネル等の陰に隠れてしまう構成となる。
【００１１】
このため、この画像形成装置では、紙文書やブック原稿等の複写よりも画像形成頻度が高いＰＣ等からの電子データによる画像形成後の記録媒体の状態を確認しにくく、また排紙された記録媒体を排紙部から取り出しにくい構成となる。
【００１２】
また、この画像形成装置では、装置本体の胴部に空間を形成して排紙部を設けているため、その筐体構造や外装の構成などが複雑になる。
【００１３】
さらに、この画像形成装置では、上述のような画像形成頻度の高いＰＣ等からの電子データをプリントアウトした記録媒体の取り扱いを良くするために排紙部の空間を大きく形成する必要があるため、装置本体の強度維持等のために余分なコストが必要となる。
【００１４】
こうしたことから、この種の画像形成装置としては、装置本体の設置面積を小さくでき、かつ画像形成後の記録媒体の確認や取り出しが容易な構成であることが望ましい。
【００１５】
このような要望に応える画像形成装置として、その読取部の原稿載置台上に載置された原稿を覆うための原稿カバーの上部に画像形成後の記録媒体を排紙する排紙部を設けるようにしたものがある（例えば、特許文献２参照）。
【００１６】
この特許文献２記載の画像形成装置においては、画像形成後の記録媒体が原稿カバーの上部に設けた排紙部に排紙されるので、装置本体の設置面積を小さくでき、かつ画像形成後の記録媒体の確認や取り出しが容易になる。
【００１７】
しかし、前記原稿カバーの上部に排紙部を設けた画像形成装置では、ブック原稿のような厚みのある原稿を読み取るときに、前記原稿カバーが通常の位置から大きくずれた状態となる。このため、このような構成の画像形成装置では、ブック原稿のような厚みのある原稿を読み取るときに、記録媒体の排紙経路と原稿カバーの上部の排紙部との間に位置ずれが生じる。
【００１８】
そこで、特許文献２記載の画像形成装置においては、画像形成部から装置本体上部へ至る記録媒体の排紙経路を前記原稿カバーの回動軸の近傍に設け、前記原稿カバーの開閉方向を規制することによって原稿カバーの開放時でも記録媒体を排紙できるようにしている。
【００１９】
また、この特許文献２記載の画像形成装置では、その原稿カバーが閉じている状態で複写の指示が出たときには原稿カバーを開かないようにロックするロック機構を設けて、原稿カバーの不用意な開放によるシートジャムを防止して排紙に対する信頼性を上げるようにしている。
【特許文献１】特開２００３―３０７９９６号公報
【特許文献２】特開平５−１４７８０２号公報
【発明の開示】
【発明が解決しようとする課題】
【００２０】
しかしながら、特許文献２記載の画像形成装置では、記録媒体の排紙経路を原稿カバーの回動軸の近傍に設けているため、画像形成部から装置本体上部の排紙部に至る記録媒体の排紙経路の構成が複雑になりやすい。
【００２１】
また、この画像形成装置では、原稿カバーの開閉方向と画像形成後の記録媒体の排紙方向との組み合わせが限定されてしまうため、各種構成の画像形成部や読取部に対応した構成とすることが難しくレイアウトの自由度が低くなる。
【００２２】
また、デジタル化が進んだ現在広く使用される多機能の画像形成装置では、単なる紙文書の複写のみならず各種のソースからの画像を形成する場合がある。しかし、特許文献２記載の画像形成装置における原稿カバーのロック機構は、読取部の原稿載置台上に載置された紙文書の複写という単機能の場合しか考慮されていない。
【００２３】
このため、この特許文献２記載の画像形成装置におけるロック機構を多機能の画像形成装置に用いた場合には、例えば複写以外のソースからの画像形成動作が開始されたときであっても単純に原稿カバーがロックされてしまう。
【００２４】
従って、このような従来のロック機構を用いた多機能の画像形成装置では、画像形成を行うソースの種類に関係なく原稿カバーがロックされてしまうため、複写途中の原稿が読取部に閉じ込められて取り出せなくなってしまうなどの不都合が生じる。
【００２５】
本発明は、かかる点に鑑みてなされたもので、排紙経路の複雑化やレイアウト自由度の低下を招くことなく、かつ画像形成後の記録媒体の確認や取り出しが容易な利便性の高い画像形成装置を提供することを目的とする。
【課題を解決するための手段】
【００２６】
かかる課題を解決するため、請求項１記載の画像形成装置は、外部からの画像情報を受信する受信部と、原稿載置台を備え前記原稿載置台に載置された原稿を読み取る読取部と、記録媒体上に画像を形成する画像形成部と、画像形成後の記録媒体を積載する装置本体上面部位に配設した上面排紙部と、画像形成後の記録媒体を積載する前記上面排紙部とは異なる装置本体部位に配設した本体排紙部と、を有し、前記外部からの画像情報による画像形成時は画像形成後の記録媒体を前記上面排紙部に排紙する上面排紙モードに切り替え、前記読取部からの画像情報による画像形成時は画像形成後の記録媒体を前記本体排紙部に排紙する本体排紙モードに切り替える排紙モード切替手段を具備する構成を採る。
【００２７】
この構成によれば、例えば、ＰＣ、ＦＡＸまたは記憶媒体（メモリカード）などの外部機器からＬＡＮや公衆回線を介して入力される画像情報により画像形成された画像形成頻度の高い記録媒体が前記上面排紙部に排紙される。従って、この構成においては、画像形成されて機外に排紙された記録媒体の確認や取り出しが容易になり利便性が向上される。また、この構成においては、前記読取部からの画像情報により画像形成された記録媒体が、前記原稿載置台に載置された原稿の操作（原稿カバーの開閉操作）の影響を受けない前記本体排紙部に排紙されるので、排紙経路の複雑化やレイアウト自由度の低下を招くことがない。
【００２８】
請求項２記載の画像形成装置は、請求項１記載の発明において、前記原稿載置台に載置された前記原稿を覆う開閉自在の原稿カバーと、前記上面排紙モード時に前記原稿カバーを所定位置に係止する原稿カバーロック手段と、を具備する構成を採る。
【００２９】
この構成によれば、請求項１記載の発明の効果に加えて、前記上面排紙モード時に前記原稿カバーが所定位置に係止されるので、この上面排紙部に前記記録媒体が排紙されているときに原稿カバーが不用意に開放されることによるシートジャムの発生を防止できる。
【００３０】
請求項３記載の画像形成装置は、請求項２記載の発明において、前記原稿カバーロック手段は、前記外部からの画像情報による画像形成の指示があったときに前記読取部が動作中であるときは、前記読取部の動作が終了してから所定時間経過後に、前記原稿カバーを所定位置に係止する構成を採る。
【００３１】
この構成によれば、請求項２記載の発明の効果に加えて、前記読取部の動作が終了してから所定時間が経過しないと前記原稿カバーは所定位置に係止されない。従って、この構成においては、読み取り操作中の原稿が前記原稿載置台と前記原稿カバーとの間に閉じ込められて取り出せなくなるのを防止できる。
【００３２】
請求項４記載の画像形成装置は、請求項２記載の発明において、前記原稿載置台に載置された原稿の有無を検出する手動原稿検出手段を有し、前記原稿カバーロック手段は、前記外部からの画像情報による画像形成の指示があったときに前記読取部が動作中であるときは、前記読取部の動作が終了し前記手動原稿検出手段が前記原稿載置台に載置された原稿が無いことを検出した後に、前記原稿カバーを所定位置に係止する構成を採る。
【００３３】
この構成によれば、請求項２記載の発明の効果に加えて、前記手動原稿検出手段が前記原稿載置台に載置された原稿があることを検出している状態では、前記原稿カバーが所定位置に係止されることがない。従って、この構成においては、前記原稿載置台に載置された原稿が前記原稿載置台と前記原稿カバーとの間に閉じ込められて取り出せなくなるのを確実に防止できる。
【００３４】
請求項５記載の画像形成装置は、請求項１から請求項４のいずれかに記載の発明において、前記本体排紙部を前記装置本体の胴部に配設した構成を採る。
【００３５】
この構成によれば、請求項１から請求項４のいずれかに記載の発明の効果に加えて、前記上面排紙部および前記本体排紙部が装置本体の側面から突出しないので、装置本体の側方に前記本体排紙部の突出領域を確保する必要がなく、装置本体の設置面積を小さくできる。
【００３６】
請求項６記載の画像形成装置は、請求項１から請求項４のいずれかに記載の発明において、前記本体排紙部を前記装置本体の側面に配設した構成を採る。
【００３７】
この構成によれば、請求項１から請求項４のいずれかに記載の発明の効果に加えて、前記本体排紙部が装置本体の側面から突出するが、この本体排紙部は、画像形成頻度の低いユーザの操作による原稿複写時にのみ使用されるので必要時以外は装置本体に収納しておくように構成できる。また、この構成においては、装置本体の胴部に本体排紙部を配設するための空間を形成していないので、装置本体の筐体構造や外装の構成などが複雑になることがない。
【００３８】
請求項７記載の画像形成装置は、請求項６記載の発明において、装置本体の側面に配設した手差し給紙時に使用される手差トレイを有し、前記本体排紙部を前記手差トレイと同じ装置本体の側面に配設した構成を採る。
【００３９】
この構成によれば、請求項６記載の発明の効果に加えて、前記本体排紙部が前記手差トレイと同じ装置本体の側面に配設されているので、装置本体の設置面積がさほど大きくなることがない。
【００４０】
請求項８記載の画像形成装置は、請求項６記載の発明において、前記本体排紙部が手差し給紙時に使用される手差トレイを兼ねている構成を採る。
【００４１】
この構成によれば、請求項６記載の発明の効果に加えて、前記本体排紙部が前記手差トレイを兼ねているので、コストをかけたりスペースを確保したりせずに前記本体排紙部を配設することができる。
【００４２】
請求項９記載の画像形成装置は、請求項１から請求項８のいずれかに記載の発明において、前記外部からの画像情報を記憶する記憶手段を具備する構成を採る。
【００４３】
この構成によれば、請求項１から請求項８のいずれかに記載の発明の効果に加えて、前記外部からの画像情報を前記記憶手段に記憶しておくことができるので、例えば、前記読取部の動作中であっても前記画像情報を待ち時間を発生させることなく受け取ることができる。
【００４４】
請求項１０記載の画像形成装置は、請求項９記載の発明において、前記原稿載置台に載置された原稿の有無を検出する手動原稿検出手段を有し、前記読取部の動作が終了し前記手動原稿検出手段が前記原稿載置台に載置された原稿が無いことを検出した後に、前記記憶手段に記憶されている前記外部からの画像情報による画像形成の指示を出す構成を採る。
【００４５】
この構成によれば、請求項９記載の発明の効果に加えて、前記手動原稿検出手段が前記原稿載置台に載置された原稿があることを検出したときには、前記外部からの画像情報による画像形成が行われない。従って、この構成においては、前記読取部の動作中に前記外部からの画像情報による画像形成が行われてシートジャムが起こるのを防止することができる。
【００４６】
請求項１１記載の画像形成装置は、原稿載置台を備え前記原稿載置台に載置された原稿を読み取る読取部と、原稿給紙手段を備え前記原稿給紙手段により給紙される原稿を読み取る自動原稿給紙装置と、記録媒体上に画像を形成する画像形成部と、画像形成後の記録媒体を積載する装置本体上面部位に配設した上面排紙部と、画像形成後の記録媒体を積載する前記上面排紙部とは異なる装置本体部位に配設した本体排紙部と、を有し、前記自動原稿給紙装置からの画像情報による画像形成時は画像形成後の記録媒体を前記上面排紙部に排紙する上面排紙モードに切り替え、前記読取部からの画像情報による画像形成時は画像形成後の記録媒体を前記本体排紙部に排紙する本体排紙モードに切り替える排紙モード切替手段を具備する構成を採る。
【００４７】
この構成によれば、前記読取部からの画像情報による画像形成時、つまりユーザの手操作により前記原稿載置台に載置した原稿を複写する場合には、複写された記録媒体が前記本体排紙部に排紙される。一方、前記自動原稿給紙装置からの画像情報による画像形成時、つまり前記原稿給紙手段により給紙される原稿を複写する場合には、複写された記録媒体が前記上面排紙部に排紙される。このように、この構成においては、前記自動原稿給紙装置を用いた画像形成頻度の高い記録媒体が前記上面排紙部に排紙されるので、排紙された記録媒体の確認や取り出しが容易になり利便性が向上される。
【００４８】
請求項１２記載の画像形成装置は、請求項１１記載の発明において、外部からの画像情報を受信する受信部を有し、前記排紙モード切替手段は、前記外部からの画像情報による画像形成時は画像形成後の記録媒体を前記上面排紙部に排紙する上面排紙モードに切り替える構成を採る。
【００４９】
この構成によれば、請求項１１記載の発明の効果に加えて、例えばＰＣやＦＡＸなどの外部からの画像情報、あるいは自動原稿給紙装置で読み取った給紙原稿の画像情報による画像形成のような画像形成頻度の高い画像形成後の記録媒体を全て前記上面排紙部に直接排紙することができる。従って、この構成においては、機外に排紙された画像形成頻度の高い記録媒体の確認や取り出しが容易になりユーザに対する利便性が向上される。
【００５０】
請求項１３記載の画像形成装置は、請求項１１または請求項１２記載の発明において、前記自動原稿給紙装置により給紙される給紙原稿の有無を検出する給紙原稿検出手段を有し、前記排紙モード切替手段は、前記給紙原稿検出手段が前記自動原稿給紙装置により給紙される給紙原稿があることを検出した場合に前記上面排紙モードに切り替え、前記給紙原稿検出手段が前記自動原稿給紙装置により給紙される給紙原稿が無いことを検出した場合に前記本体排紙モードに切り替える構成を採る。
【００５１】
この構成によれば、請求項１１または請求項１２記載の発明の効果に加えて、前記自動原稿給紙装置により給紙する給紙原稿の有無に応じて、画像形成後の記録媒体の排紙モードを切り替えることができる。つまり、この構成においては、例えば、前記自動原稿給紙装置を使用せずに、前記読取部の前記原稿載置台上に原稿を載置して複写を行った場合には、画像形成後の記録媒体が前記本体排紙部に排紙される。従って、この構成においては、例えば、前記自動原稿給紙装置が開放された状態で外部からの画像情報による画像形成が行われてもシートジャムが起こらないようにすることができる。
【００５２】
請求項１４記載の画像形成装置は、請求項１１から請求項１３のいずれかに記載の発明において、前記原稿載置台上に載置された原稿を覆う原稿カバーと、前記上面排紙モード時に前記原稿カバーを所定位置に係止する原稿カバーロック手段と、を具備する構成を採る。
【００５３】
この構成によれば、請求項１１から請求項１３のいずれかに記載の発明の効果に加えて、前記上面排紙モード時に前記原稿カバーが所定位置に係止されるので、この上面排紙部に前記記録媒体が排紙されているときに原稿カバーが不用意に開放されることによるシートジャムの発生を防止できる。
【００５４】
請求項１５記載の画像形成装置は、請求項１１から請求項１４のいずれかに記載の発明において、前記本体排紙部を前記装置本体の胴部に配設した構成を採る。
【００５５】
この構成によれば、請求項１１から請求項１４のいずれかに記載の発明の効果に加えて、前記上面排紙部および前記本体排紙部が装置本体の側面から突出しないので、装置本体の側方に前記本体排紙部の突出領域を確保する必要がなく、装置本体の設置面積を小さくできる。
【００５６】
請求項１６記載の画像形成装置は、請求項１１から請求項１４のいずれかに記載の発明において、前記本体排紙部を前記装置本体の側面に配設した構成を採る。
【００５７】
この構成によれば、請求項１１から請求項１４のいずれかに記載の発明の効果に加えて、前記本体排紙部が装置本体の側面から突出するが、この本体排紙部は画像形成頻度の低いユーザの操作による原稿複写時にのみ使用されるので必要時以外は装置本体に収納しておくように構成できる。また、この構成においては、装置本体の胴部に本体排紙部を配設するための空間を形成していないので、筐体構造や外装の構成などが複雑になることがない。
【００５８】
請求項１７記載の画像形成装置は、請求項１６記載の発明において、装置本体の側面に配設した手差し給紙時に使用される手差トレイを有し、前記本体排紙部を前記手差トレイと同じ装置本体の側面に配設した構成を採る。
【００５９】
この構成によれば、請求項１６記載の発明の効果に加えて、前記本体排紙部が前記手差トレイと同じ装置本体の側面に配設されているので、装置本体の設置面積がさほど大きくなることがない。
【００６０】
請求項１８記載の画像形成装置は、請求項１６記載の発明において、前記本体排紙部が手差し給紙時に使用される手差トレイを兼ねている構成を採る。
【００６１】
この構成によれば、請求項１６記載の発明の効果に加えて、前記本体排紙部が前記手差トレイを兼ねているので、コストをかけたりスペースを確保したりせずに前記本体排紙部を配設することができる。
【００６２】
請求項１９記載の画像形成装置は、請求項１２から請求項１８のいずれかに記載の発明において、前記外部からの画像情報を記憶する記憶手段を具備する構成を採る。
【００６３】
この構成によれば、請求項１２から請求項１８のいずれかに記載の発明の効果に加えて、前記外部からの画像情報を前記記憶手段に記憶しておくことができるので、例えば、前記読取部の動作中であっても前記画像情報を待ち時間を発生させることなく受け取ることができる。
【００６４】
請求項２０記載の画像形成装置は、請求項１９記載の発明において、前記原稿載置台に載置された原稿の有無を検出する手動原稿検出手段を有し、前記読取部の動作が終了し前記手動原稿検出手段が前記原稿載置台に載置された原稿が無いことを検出した後に、前記記憶手段に記憶されている前記外部からの画像情報による画像形成の指示を出す構成を採る。
【００６５】
この構成によれば、請求項１９記載の発明の効果に加えて、前記手動原稿検出手段が前記原稿載置台に載置された原稿があることを検出したときには、前記外部からの画像情報による画像形成が行われない。従って、この構成においては、前記読取部の動作中に前記外部からの画像情報による画像形成が行われてシートジャムが起こるのを防止することができる。
【００６６】
請求項２１記載の画像形成装置は、請求項２から請求項１０のいずれかまたは請求項１４から請求項２０のいずれかに記載の発明において、前記原稿カバーの開閉状態を検出する原稿カバー位置検出手段を有し、前記原稿カバーが閉じられた状態であることを前記原稿カバー位置検出手段が検出しているときのみ前記原稿カバーロック手段により前記原稿カバーを所定位置に係止する構成を採る。
【００６７】
この構成によれば、請求項２から請求項１０のいずれかまたは請求項１４から請求項２０のいずれかに記載の発明の効果に加えて、前記原稿カバーが閉じられた状態であることを前記原稿カバー位置検出手段が検出しているときのみ前記原稿カバーが所定位置に係止されるので、前記上面排紙部に排紙される記録媒体のシートジャムをより確実に防止できる。
【００６８】
請求項２２記載の画像形成装置は、請求項２から請求項１０のいずれかまたは請求項１４から請求項２１のいずれかに記載の発明において、前記排紙モード切替手段は、前記原稿カバーの開閉動作に連動して、前記画像形成後の記録媒体の排紙経路を前記上面排紙モードおよび前記本体排紙モードに対応した経路に切り替える排紙経路切替手段からなる構成を採る。
【００６９】
この構成によれば、請求項２から請求項１０のいずれかまたは請求項１４から請求項２１のいずれかに記載の発明の効果に加えて、前記排紙経路切替手段により、画像形成後の記録媒体の排紙経路が、前記原稿カバーの開閉動作に連動して前記上面排紙モードおよび前記本体排紙モードに対応した経路に切り替えられる。このように、この構成においては、画像形成後の記録媒体の排紙経路が前記原稿カバーの開閉動作に連動して自動的に切り替えられるので、ユーザの操作ミスなどによる前記排紙経路の切り替え忘れによるシートジャムを解消することができる。
【発明の効果】
【００７０】
本発明によれば、画像形成頻度の高い画像情報により画像形成された記録媒体が装置本体上面部位に配設した上面排紙部に排紙されるので、排紙された記録媒体の確認や取り出しが容易になり利便性が向上される。
【発明を実施するための最良の形態】
【００７１】
本発明の骨子は、外部からの画像情報による画像形成時は装置本体上面部位の上面排紙部に記録媒体を排紙し、原稿載置台に載置された原稿を読み取る読取部からの画像情報による画像形成時は装置本体部位に配設した本体排紙部に記録媒体を排紙できるようにすることである。
【００７２】
以下、本発明の実施の形態について、図面を参照して詳細に説明する。なお、各図において同一の構成または機能を有する構成要素および相当部分には、同一の符号を付してその説明は繰り返さない。
【００７３】
（実施の形態１）
図１は、本発明の実施の形態１に係る画像形成装置の全体的な構成を示す概略断面図である。本実施の形態１に係る画像形成装置は、紙文書やブック原稿などを複写する複写機能、ＰＣなどから送信される電子データなどをプリントアウトするプリント機能、およびＦＡＸなどと送受信するファクシミリ機能等を有する多機能の複合機としての構成を備えている。
【００７４】
すなわち、図１に示すように、この画像形成装置１００は、受信部１１０、読取部１２０、画像形成部１３０、自動原稿給紙装置１４０、上面排紙部１５０、本体排紙部１６０、給紙部１７０、搬送系１８０などを具備している。
【００７５】
ここで、受信部１１０は、ＰＣ、ＦＡＸ、または記憶媒体（メモリカード）などの外部機器からＬＡＮ（無線ＬＡＮを含む）や公衆回線を介して入力される画像情報を受信する。画像形成装置１００には、ＬＡＮケーブルが接続されるＬＡＮポート１１１、公衆回線が接続されるモジュラー１１２、メモリカードが装着されるカードスロット１１３が配設されている。
【００７６】
読取部１２０は、ユーザの手操作で複写するシート原稿Ｓ（または、後述するブック原稿ＢＯ）を載置する原稿載置台（コンタクトガラス）１２１、原稿載置面１２１ａ上に載置されたシート原稿Ｓ（または、ブック原稿ＢＯ）を覆う原稿カバー１２２、シート原稿Ｓの画像を走査して読み取る走査光学系１２３などで構成されている。本例の走査光学系１２３は、光源１２３ａ、ミラー１２３ｂ、レンズ１２３ｃおよび撮像素子（ＣＣＤ）１２３ｄなどで構成されている。原稿カバー１２２は、後述する自動原稿給紙装置１４０の原稿排紙トレイを兼ねた構成を有している。
【００７７】
画像形成部１３０は、感光体１３１、帯電器１３２、露光装置１３３、現像装置１３４、転写ローラ１３５、クリーニング装置１３６および定着装置１３７などで構成されている。
【００７８】
自動原稿給紙装置１４０は、自動給紙する給紙原稿Ｏがセットされる原稿載置台としての原稿供給トレイ１４１、セットされた給紙原稿Ｏを１枚ずつ分離して給紙する原稿給紙手段としての原稿給紙ローラ１４２、分離給紙された給紙原稿Ｏの画像を読み取るスキャナ１４３、および画像の読み取りを終えた給紙原稿Ｏを排紙する原稿排紙ローラ１４４などで構成されている。本例の自動原稿給紙装置１４０は、原稿排紙ローラ１４４により原稿カバー１２２の上面上に給紙原稿Ｏを排紙するように構成されている。また、本例の自動原稿給紙装置１４０は、原稿カバー１２２と共に、装置本体に対して開閉自在に構成されている。
【００７９】
上面排紙部１５０は、後述する画像形成後の記録紙Ｐを積載する画像形成装置１００の装置本体上面部位に配設した上面排紙台１５１、および上面排紙台１５１上に画像形成後の記録紙Ｐを排紙する上面排紙ローラ１５２を備えている。また、上面排紙部１５０は、上面排紙ローラ１５２に向けて画像形成後の記録紙Ｐを搬送する上面搬送ローラ１５３、および上面搬送ローラ１５３により上面排紙ローラ１５２に向けて搬送される画像形成後の記録紙Ｐをガイドする上面排紙ガイド板１５４を備えている。なお、本例における上面排紙台１５１は、原稿供給トレイ１４１上にセットされた給紙原稿Ｏを押える原稿押え板を兼ねている。また、本例の上面排紙部１５０は、自動原稿給紙装置１４０と一体に構成されている。
【００８０】
本体排紙部１６０は、画像形成後の記録紙Ｐを積載する上面排紙部１５０とは異なる画像形成装置１００の装置本体部位に配設した本体排紙台１６１、および本体排紙台１６１上に画像形成後の記録紙Ｐを排紙する本体排紙ローラ１６２を備えている。なお、本実施の形態１に係る画像形成装置１００の本体排紙部１６０は、図１に示すように、読取部１２０と画像形成部１３０との間の装置本体の胴部に形成した空間に配設されている。
【００８１】
給紙部１７０は、記録媒体としての記録紙Ｐが収容された給紙カセット１７１を収納するためのカセット収納部１７２、および給紙カセット１７１に収容されている記録紙Ｐを１枚ずつ分離して給紙する分離給紙装置１７３などで構成されている。
【００８２】
搬送系１８０は、給紙部１７０から画像形成部１３０に向けて記録紙Ｐをガイドする給紙ガイド板１８１を備えている。この給紙ガイド板１８１により給紙経路１８１ａが形成されている。この給紙経路１８１ａの出口には、記録紙Ｐを所定のタイミングで画像形成部１３０に送り込むレジストローラ１８２が配設されている。
【００８３】
また、搬送系１８０は、画像形成部１３０の定着装置１３７から排紙された記録紙Ｐを上面排紙部１５０に向けてガイドする上面排紙ガイド板１８３を備えている。この上面排紙ガイド板１８３により上面排紙経路１８３ａが形成されている。
【００８４】
また、搬送系１８０は、画像形成部１３０の定着装置１３７から排紙された記録紙Ｐを本体排紙部１６０に向けてガイドする本体排紙ガイド板１８４を備えている。この本体排紙ガイド板１８４により本体排紙経路１８４ａが形成されている。
【００８５】
ここで、画像形成部１３０の定着装置１３７から排紙された記録紙Ｐを、上面排紙経路１８３ａを通して上面排紙部１５０に向けて排紙する排紙モードを上面排紙モードという。また、画像形成部１３０の定着装置１３７から排紙された記録紙Ｐを、本体排紙経路１８４ａを通して本体排紙部１６０に向けて排紙する排紙モードを本体排紙モードという。
【００８６】
上面排紙経路１８３ａと本体排紙経路１８４ａとの分岐部には、前記上面排紙モードと前記本体排紙モードとを切り替える排紙モード切替手段４００の排紙経路切替爪４０１が配設されている（図４参照）。
【００８７】
また、本例の搬送系１８０は、画像形成後の記録紙Ｐを、その画像形成面を反転させて給紙経路１８１ａに送り込む反転搬送ローラ１８５および反転搬送ガイド板１８６により形成された反転搬送経路１８６ａを有している。
【００８８】
この反転搬送経路１８６ａと、画像形成部１３０の定着装置１３７から排紙された記録紙Ｐをガイドする排紙ガイド板１８７により形成された排紙搬送経路１８７ａとの合流部には、排紙搬送経路１８７ａを一旦抜け出た記録紙Ｐの搬送経路を、反転搬送経路１８６ａがわに切り替える反転切替爪１８８が配設されている。
【００８９】
また、排紙経路切替爪４０１の排紙方向上流側には、記録紙Ｐを排紙方向および反転搬送方向に搬送する正逆回転ローラ１８９が配設されている。
【００９０】
次に、本実施の形態１に係る画像形成装置の動作について説明する。
【００９１】
この画像形成装置１００は、手動複写モード、自動複写モードおよび外部入力プリントモードの３つの印刷モードを有している。
【００９２】
ここで、手動複写モードとは、原稿載置面１２１ａ上に載置されたシート原稿Ｓまたはブック原稿ＢＯを読取部１２０のＣＣＤ１２３ｄで読み取った画像情報により複写する印刷モードである。
【００９３】
また、自動複写モードとは、原稿供給トレイ１４１上にセットされた給紙原稿Ｏを自動原稿給紙装置１４０のスキャナ１４３で読み取った画像情報により複写する印刷モードである。
【００９４】
さらに、外部入力プリントモードとは、受信部１１０に入力されたＰＣ、ＦＡＸおよびメモリカードなどの外部機器からの画像情報によりプリントアウトする印刷モードである。
【００９５】
前記手動複写モードでは、図２に示すように、まず、読取部１２０の原稿カバー１２２を自動原稿給紙装置１４０と共に開放して原稿載置台１２１の原稿載置面１２１ａを露呈させる。そして、この露呈した原稿載置面１２１ａ上にユーザの手操作で複写する原稿（ここでは、ブック原稿ＢＯ）を載置する。
【００９６】
読取部１２０には、原稿載置台１２１に載置されたシート原稿Ｓまたはブック原稿ＢＯの有無を検出する手動原稿検出手段としての原稿サイズセンサ１２４が配設されている。つまり、この画像形成装置１００においては、原稿サイズセンサ１２４が原稿載置面１２１ａ上に載置された原稿のサイズを検出して検出信号を出力したか否かによりシート原稿Ｓまたはブック原稿ＢＯの有無を検出するようにしている。
【００９７】
図２において、原稿サイズセンサ１２４により原稿載置面１２１ａ上にブック原稿ＢＯが載置されていることが検出された状態で、ユーザが装置本体の操作パネル（不図示）上のコピーボタンを押すと、走査光学系１２３が動作してＣＣＤ１２３ｄにブック原稿ＢＯの画像データが読み取られる。このＣＣＤ１２３ｄに読み取られたブック原稿ＢＯの画像データは、図示しない画像処理装置によって印刷データに変換された後、所定のタイミングで露光装置１３３に入力される。
【００９８】
一方、前記コピーボタンの押下により、感光体１３１が所定方向に回転し、感光体１３１の表面が帯電器１３２により一様に帯電される。露光装置１３３は、この一様に帯電された感光体１３１の表面に、前記画像処理装置によって変換された印刷データをレーザ光として照射する。このレーザ光の照射により、感光体１３１の表面にブック原稿ＢＯの静電潜像が形成される。
【００９９】
この静電潜像は、現像装置１３４から供給されるトナーにより可視像（トナー像）化される。そして、このトナー像は、レジストローラ１８２によって給紙された記録紙Ｐ上に転写ローラ１３５により転写された後、定着装置１３７により記録紙Ｐ上に定着される。
【０１００】
このようにしてブック原稿ＢＯの画像が複写された画像形成後の記録紙Ｐは、図２に実線で示すように、本体排紙経路１８４ａを通って本体排紙ローラ１６２により本体排紙部１６０の本体排紙台１６１上に排紙されて積載される。
【０１０１】
前記自動複写モードでは、図３に示すように、自動原稿給紙装置１４０の原稿供給トレイ１４１上に自動給紙する給紙原稿Ｏをセットすると、原稿供給トレイ１４１に遥動自在に設けられたアクチュエータ１４５が給紙原稿Ｏに押されて時計方向に遥動する。このアクチュエータ１４５の遥動により、自動原稿給紙装置１４０により給紙される給紙原稿Ｏの有無を検出する給紙原稿検出手段としての給紙原稿センサ１４６がオンする。
【０１０２】
本例における給紙原稿センサ１４６は、発光素子と受光素子とからなり、両素子間の光路に対してアクチュエータ１４５の遥動端部１４５ａが進退することによりオン／オフするように構成されている。この給紙原稿センサ１４６のオンによって、給紙原稿Ｏの画像を読み取るスキャナ１４３のランプの発光準備などが行われる。
【０１０３】
給紙原稿センサ１４６がオンしている状態で、ユーザが装置本体の操作パネル上のコピーボタンを押すと、図３に一点鎖線で示すように、原稿供給トレイ１４１上の給紙原稿Ｏが自動的に給紙される。これにより、給紙原稿Ｏがスキャナ１４３の原稿読み取りガラスに密着しながら搬送され給紙原稿Ｏの画像が読み取られる。読み取りが終了した給紙原稿Ｏは、原稿排紙ローラ１４４により自動原稿給紙装置１４０の原稿排紙トレイを兼ねた原稿カバー１２２の上面上に排紙される。
【０１０４】
このようにして、自動原稿給紙装置１４０のスキャナ１４３で読み取られた給紙原稿Ｏの画像情報（画像データ）は、装置本体内部に配設されている記憶手段としてのメモリ１９０に記憶（蓄積）される（図１参照）。メモリ１９０に記憶（蓄積）された画像データは、図示しない画像処理装置によって印刷データに変換され所定のタイミングで露光装置１３３に入力される。
【０１０５】
また、露光装置１３３に入力された印刷データは、前記手動複写モードの場合と同様に、一様に帯電された感光体１３１の表面にレーザ光として照射され、定着装置１３７により記録紙Ｐ上にトナー像として定着される。
【０１０６】
この自動複写モードにおいては、定着装置１３７から排紙された画像形成後の記録紙Ｐが上面排紙経路１８３ａを通して上面排紙部１５０に向けて搬送される。そして、記録紙Ｐは、図３に二点鎖線で示すように、上面搬送ローラ１５３により上面排紙ガイド板１５４に沿って搬送され、上面排紙ローラ１５２により画像形成装置１００の装置本体上面部位に配設した上面排紙台１５１上に排紙して積載される。
【０１０７】
前記外部入力プリントモードでは、ＰＣ、ＦＡＸおよびメモリカードなどの外部機器から受信部１１０に入力された画像情報（画像データ）が、前記自動複写モードの場合と同様に、装置本体内部に配設されている記憶手段としてのメモリ１９０に記憶される。このメモリ１９０に蓄積された画像データは、図示しない画像処理装置によって印刷データに変換されて所定のタイミングで露光装置１３３に入力される。
【０１０８】
また、この外部入力プリントモードでは、前記自動複写モードの場合と同じく、定着装置１３７から排紙された画像形成後の記録紙Ｐが上面排紙経路１８３ａを通して上面排紙部１５０に向けて搬送され、上面排紙ローラ１５２により上面排紙台１５１上に排紙して積載される。
【０１０９】
上述のように、この画像形成装置１００においては、前記手動複写モードの場合には画像形成後の記録紙Ｐが、図２に実線で示すように、本体排紙経路１８４ａを通って本体排紙ローラ１６２により本体排紙部１６０の本体排紙台１６１上に排紙されて積載される。
【０１１０】
一方、前記自動複写モードおよび外部入力プリントモードでは、画像形成後の記録紙Ｐが、図３に二点鎖線で示すように、上面排紙経路１８３ａを通って上面排紙ローラ１５２により上面排紙部１５０の上面排紙台１５１上に排紙して積載される。
【０１１１】
つまり、この画像形成装置１００では、画像形成頻度の高い前記自動複写モードおよび外部入力プリントモードにより画像形成された記録紙Ｐが、上面排紙モードにより装置本体上面部位に配設した上面排紙部１５０に排紙される。
【０１１２】
従って、この画像形成装置１００においては、このような画像形成頻度の高い記録紙Ｐの確認や取り出しが容易になり利便性が向上される。
【０１１３】
また、前記手動複写モードでは、読取部１２０からの画像情報により画像形成された記録紙Ｐが、本体排紙モードにより原稿載置台１２１に載置されたシート原稿Ｓやブック原稿ＢＯの操作の影響を受けない本体排紙部１６０の本体排紙台１６１上に排紙される。
【０１１４】
従って、この画像形成装置１００においては、前記手動複写モードにより画像形成された記録紙Ｐの排紙経路の複雑化やレイアウト自由度の低下を招くことがない。
【０１１５】
ここで、前記上面排紙モード時における記録紙Ｐの上面排紙経路１８３ａと、前記本体排紙モード時における記録紙Ｐの本体排紙経路１８４ａとの切り替えは、前述した排紙モード切替手段４００の排紙経路切替爪４０１によって行われる。
【０１１６】
図４は、この画像形成装置１００における排紙モード切替手段４００の一例を示す概略構成図である。図４に示すように、この排紙モード切替手段４００の排紙経路切替爪４０１は、装置本体の上面排紙経路１８３ａと本体排紙経路１８４ａとの分岐部に枢支された支軸４０２に取り付けられている。
【０１１７】
支軸４０２には、切替アーム４０３が取り付けられている。この切替アーム４０３と排紙経路切替爪４０１とは、支軸４０２を介して一体に構成されている。また、切替アーム４０３の自由端部は、装置本体に配設された切替ソレノイド４０４のアクチュエータ４０４ａに遥動自在に繋がれている。
【０１１８】
ここで、画像形成装置１００の印刷モードが前記自動複写モードまたは前記外部入力プリントモードの場合には、切替ソレノイド４０４がオフ状態（平生の状態）になる。この切替ソレノイド４０４がオフ状態の場合には、排紙経路切替爪４０１が、図４に実線で示すように、上面排紙経路１８３ａを開放する位置に臨んで、記録紙Ｐの排紙モードが図１に示す前記上面排紙モードに切り替えられる。
【０１１９】
一方、画像形成装置１００の印刷モードが前記手動複写モードの場合には、切替ソレノイド４０４がオン状態（励磁された状態）になる。すなわち、本例の切替ソレノイド４０４は、読取部１２０の原稿サイズセンサ１２４が、原稿載置台１２１に載置されたシート原稿Ｓまたはブック原稿ＢＯを検出して検出信号を出力している状態でオン状態になる。この切替ソレノイド４０４がオン状態の場合には、排紙経路切替爪４０１が、図４に破線で示すように、本体排紙経路１８４ａを開放する位置に臨んで、記録紙Ｐの排紙モードが図２に示す前記本体排紙モードに切り替えられる。
【０１２０】
ところで、この画像形成装置１００においては、印刷モードが自動複写モードまたは外部入力プリントモードの状態、つまり記録紙Ｐの排紙モードが図１に示す上面排紙モードに切り替えられている状態で、原稿カバー１２２が誤って開放されると、図２に示すように、上面排紙経路１８３ａと上面排紙部１５０とが離間してシートジャムが発生してしまう。
【０１２１】
このようなシートジャムの発生を防止するために、この画像形成装置１００には、前記上面排紙モード時に原稿カバー１２２を所定位置に係止する原稿カバーロック手段が配設されている。
【０１２２】
図５は、この画像形成装置１００における原稿カバーロック手段の一例を示す概略構成図である。図５に示すように、この原稿カバーロック手段５００は、ロックアーム５０１、ロックソレノイド５０２、カバー位置センサ５０３などを具備している。
【０１２３】
ロックアーム５０１は、装置本体に植設された支軸５０４に遥動自在に枢支されている。ロックソレノイド５０２は、装置本体に配設されており、そのアクチュエータにロックアーム５０１の基端部が遥動自在に繋がれている。
【０１２４】
カバー位置センサ５０３は、マイクロスイッチからなり、そのアクチュエータに、原稿カバー１２２と共に開閉される上面排紙部１５０から突出したロック突起１５５の端部が対向している。このロック突起１５５には、フック穴１５５ａが穿たれている。
【０１２５】
また、ロックアーム５０１の自由端部には、ロックソレノイド５０２のオン／オフによりロック突起１５５のフック穴１５５ａに係脱するフック部５０１ａが形成されている。このロックソレノイド５０２は、図１に示すように、原稿カバー１２２と共に上面排紙部１５０が閉じられてロック突起１５５の端部がカバー位置センサ５０３のアクチュエータを押し、かつ画像形成装置１００の印刷モードが前記自動複写モードまたは前記外部入力プリントモードの場合にはオン状態（励磁された状態）となる。
【０１２６】
また、ロックソレノイド５０２は、図１に示すように、原稿カバー１２２と共に上面排紙部１５０が閉じられてロック突起１５５の端部がカバー位置センサ５０３のアクチュエータを押し、かつ画像形成装置１００の印刷モードが前記手動複写モードの場合にはオフ状態（平生の状態）となる。
【０１２７】
さらに、ロックソレノイド５０２は、図２に示すように、原稿カバー１２２と共に上面排紙部１５０が開放され、上面排紙部１５０のロック突起１５５の端部が、カバー位置センサ５０３のアクチュエータから離間した場合にはオフ状態（平生の状態）となる。
【０１２８】
ロックソレノイド５０２は、オン状態で、図５に実線で示すように、ロック突起１５５のフック穴１５５ａにロックアーム５０１のフック部５０１ａを係合させて、上面排紙部１５０と共に原稿カバー１２２を装置本体の所定位置に係止する。
【０１２９】
また、ロックソレノイド５０２は、オフ状態で、ロック突起１５５のフック穴１５５ａからロックアーム５０１のフック部５０１ａを離脱させて、上面排紙部１５０と共に原稿カバー１２２を装置本体に対して開閉自在な状態にする。
【０１３０】
このように、この画像形成装置１００では、前記自動複写モードまたは前記外部入力プリントモード時（前記上面排紙モード時）に、原稿カバー１２２が所定位置に係止される。従って、この画像形成装置１００においては、上面排紙部１５０に記録紙Ｐが排紙されているときに原稿カバー１２２が不用意に開放されることによるシートジャムの発生を防止することができる。
【０１３１】
ここで、読取部１２０が厚みのあるブック原稿ＢＯの読み取りを行っている場合には、図２に示すように、原稿カバー１２２が半開きの状態となるので、この状態でロックソレノイド５０２がオンしても原稿カバー１２２が装置本体に係止されることはない。
【０１３２】
しかしながら、読取部１２０が厚みのないシート原稿Ｓの読み取りを行っている場合には、図１に示すように、原稿カバー１２２が閉じられた状態となるので、この状態でロックソレノイド５０２がオンすると、原稿カバー１２２が装置本体に係止される。
【０１３３】
このため、この画像形成装置１００では、例えば、シート原稿Ｓの読み取りを行っている読取部１２０の動作中に、前記外部からの画像情報による画像形成の指示によりロックソレノイド５０２をオンして原稿カバー１２２を装置本体に係止してしまうと、このシート原稿Ｓが原稿載置台１２１と原稿カバー１２２との間に閉じ込められて取り出せなくなってしまう。
【０１３４】
なお、上述のように、読取部１２０がブック原稿ＢＯの読み取りを行っている場合には、原稿カバー１２２が装置本体に係止されることはないが、この状態でロックソレノイド５０２がオンすると、ロックアーム５０１のフック部５０１ａがロック突起１５５の進退経路を塞いでしまう。
【０１３５】
そこで、この画像形成装置１００においては、読取部１２０の動作が終了してから、つまり読み取りを終えたシート原稿Ｓまたはブック原稿ＢＯをユーザが取り出してから所定時間経過後に原稿カバー１２２を所定位置に係止するようにしている。
【０１３６】
つまり、この画像形成装置１００では、読取部１２０の原稿サイズセンサ１２４が、原稿載置台１２１に載置されたシート原稿Ｓまたはブック原稿ＢＯを検出して検出信号を出力している場合にはロックソレノイド５０２がオフ状態になるように構成されている。
【０１３７】
図６は、この画像形成装置１００の外部入力プリントモード時における動作例を示すフローチャートである。また、図７は、この画像形成装置１００の手動複写モード時における動作例を示すフローチャートである。
【０１３８】
まず、図６に示す外部入力プリントモード時における動作例について説明する。
【０１３９】
図６において、外部からの画像情報による画像形成開始指示があると、記録紙Ｐの排紙モードが、上面排紙モードに入る（ステップＳ６０１）。そして、この上面排紙モードの状態で、印刷モードが手動複写モードでの読取動作中または手動読取による画像形成中か否か判断する（ステップＳ６０２）。
【０１４０】
ここで、手動複写モードでの読取動作中または手動読取による画像形成中ではないと判断された場合には、直ちに原稿カバー１２２を装置本体に係止して（ステップＳ６０６）、画像形成開始準備が完了する（ステップＳ６０７）。
【０１４１】
一方、ステップＳ６０２で、手動複写モードでの読取動作中または手動読取による画像形成中であると判断された場合には、読取部１２０の読取動作が終了しているか否か判断する（ステップＳ６０３）。
【０１４２】
そして、ステップＳ６０３で、読取部１２０の読取動作が終了していると判断されたら、原稿サイズセンサ１２４の検出信号の出力の有無により原稿載置面１２１ａ上にシート原稿Ｓまたはブック原稿ＢＯがあるか否か判断する（ステップＳ６０４）。
【０１４３】
ここで、原稿載置面１２１ａ上にシート原稿Ｓまたはブック原稿ＢＯがないと判断された場合、つまり読取動作が終了したシート原稿Ｓまたはブック原稿ＢＯが原稿載置面１２１ａ上から取り除かれた場合には、所定時間経過したか否か判断する（ステップＳ６０５）。
【０１４４】
そして、所定時間経過後、原稿カバー１２２を装置本体に係止して（ステップＳ６０６）、画像形成開始準備が完了する（ステップＳ６０７）。
【０１４５】
次に、図７に示す手動複写モード時における動作例について説明する。
【０１４６】
図７において、手動読取による画像形成開始指示があると、記録紙Ｐの排紙モードが、本体排紙モードに入る（ステップＳ７０１）。次いで、この本体排紙モードの状態で、原稿サイズセンサ１２４の検出信号の出力の有無により原稿載置面１２１ａ上にシート原稿Ｓまたはブック原稿ＢＯがあるか否か判断する（ステップＳ７０２）。
【０１４７】
ここで、原稿載置面１２１ａ上にシート原稿Ｓまたはブック原稿ＢＯがないと判断された場合、つまり読取動作が終了したシート原稿Ｓまたはブック原稿ＢＯが原稿載置面１２１ａ上から取り除かれた場合には、所定時間経過したか否か判断する（ステップＳ７０３）。
【０１４８】
そして、所定時間経過後、原稿カバー１２２を装置本体に係止して（ステップＳ７０４）、画像形成開始準備が完了する（ステップＳ７０５）。
【０１４９】
このように、この画像形成装置１００においては、原稿サイズセンサ１２４が原稿載置台１２１に載置されたシート原稿Ｓまたはブック原稿ＢＯがあることを検出している状態および読取部１２０の動作が終了してから所定時間が経過していない状態では、原稿カバー１２２は所定位置に係止されない。従って、この画像形成装置１００においては、読み取り操作中のシート原稿Ｓが原稿載置台１２１と原稿カバー１２２との間に閉じ込められて取り出せなくなるのを防止できる。
【０１５０】
また、本例の画像形成装置１００は、本体排紙部１６０が装置本体の胴部に配設されているので、上面排紙部１５０および本体排紙部１６０が装置本体の側面から突出しない構成となる。従って、この画像形成装置１００では、装置本体の側方に本体排紙部１６０の突出領域を確保する必要がなく、装置本体の設置面積を小さくできる。ここで、本例の画像形成装置１００における本体排紙部１６０は、原稿載置面に１２１ａ原稿を載置して複写するという頻度の少ない場合にのみ使用されるので、その大きさは小さくてもよく、またアクセスできる開口を狭くしても、あまり利便性には影響がない。従って、この画像形成装置１００においては、本体排紙部１６０を装置本体の胴部に配設しても装置本体の強度を大きく保つことができる。
【０１５１】
なお、本例の画像形成装置１００は、図６および図７の最終ステップＳ６０７，Ｓ７０５で、画像形成開始準備が完了するが、画像形成部１３０による画像形成が実際に開始されるのは、書き込み信号の用意など他の画像形成のための準備も完了した時点であることはいうまでもない。
【０１５２】
（実施の形態２）
次に、本発明の実施の形態２に係る画像形成装置について説明する。
【０１５３】
前述したように、画像形成装置１００は、厚みのないシート原稿Ｓの読取時には、原稿カバー１２２が装置本体に係止可能な状態となる。この状態では、装置本体の上面排紙経路１８３ａと上面排紙部１５０との位置関係が大きくずれることがない。つまり、このシート原稿Ｓの読取時には、画像形成後の記録紙Ｐを上面排紙部１５０の上面排紙台１５１上に排紙してもシートジャムが発生することがない。
【０１５４】
従って、この画像形成装置１００は、厚みのあるブック原稿ＢＯの読取時のように、装置本体の上面排紙経路１８３ａと上面排紙部１５０との位置関係が大きくずれる状態のときだけ、排紙経路切替爪４０１が画像形成後の排紙経路を本体排紙経路１８４ａに切り替えるように構成することができる。
【０１５５】
図８は、本発明の実施の形態２に係る画像形成装置の排紙モード切替手段の構成を示す概略構成図である。図８に示すように、本例の排紙モード切替手段８００は、上面排紙部１５０の開閉動作に連動して、排紙経路切替爪８０１が画像形成後の記録紙Ｐの排紙経路を切り替えるように構成されている。
【０１５６】
すなわち、本例の排紙モード切替手段８００の排紙経路切替爪８０１は、装置本体の上面排紙経路１８３ａと本体排紙経路１８４ａとの分岐部に枢支された支軸８０２に取り付けられている。
【０１５７】
支軸８０２には、切替アーム８０３が取り付けられている。この切替アーム８０３と排紙経路切替爪８０１とは、支軸８０２を介して一体に構成されている。また、切替アーム８０３の自由端部は、基端が装置本体に繋がれた緊縮性のコイルスプリング８０４の一端に繋がれている。
【０１５８】
また、切替アーム８０３には、切替連動アーム８０５が遥動自在に取り付けられている。この切替連動アーム８０５には、長穴８０５ａが形成されている。この長穴８０５ａには、装置本体に植設されたガイドピン８０６が挿通されている。また、この切替連動アーム８０５の自由端部には、上面排紙部１５０のロック突起１５５の下端が対向している。
【０１５９】
図８において、シート原稿Ｓの読取時には、原稿カバー１２２と共に上面排紙部１５０が閉じられることにより、ロック突起１５５の下端が、切替連動アーム８０５の自由端部に当接し、コイルスプリング８０４の緊縮力に抗して切替連動アーム８０５を押し下げる。これにより、排紙経路切替爪８０１が、図８に実線で示すように、上面排紙経路１８３ａを開放する位置に臨んで、記録紙Ｐの排紙モードが図１に示す前記上面排紙モードに切り替えられる。
【０１６０】
一方、厚みのあるブック原稿ＢＯの読取時には、原稿カバー１２２と共に上面排紙部１５０が半開き状態に開放され、ロック突起１５５の下端が、切替連動アーム８０５の自由端部から離間し、コイルスプリング８０４の緊縮力により切替連動アーム８０５が上昇する。これにより、排紙経路切替爪４０１が、図８に破線で示すように、本体排紙経路１８４ａを開放する位置に臨んで、記録紙Ｐの排紙モードが図２に示す前記本体排紙モードに切り替えられる。
【０１６１】
本実施の形態２に係る画像形成装置においては、手動複写モードであっても厚みの薄いシート原稿Ｓの読み取り時には、画像形成後の記録紙Ｐがシートジャムすることなく上面排紙部１５０の上面排紙台１５１上に排紙されるので、排紙された記録紙Ｐの確認や取り出しを容易に行える。
【０１６２】
（実施の形態３）
次に、本発明の実施の形態３に係る画像形成装置について説明する。
【０１６３】
図９は、本実施の形態３に係る画像形成装置の全体的な構成を示す概略断面図である。  図１および図２に示した実施の形態１に係る画像形成装置１００は、原稿カバー１２２と自動原稿給紙装置１４０および上面排紙部１５０とが一体的に開閉する構成であるため、原稿カバー１２２の開閉操作にある程度の力を必要としユーザの負担が大きい。
【０１６４】
本実施の形態３に係る画像形成装置は、このようなユーザの負担を軽減できるように構成したものである。図９に示すように、本実施の形態３に係る画像形成装置９００は、自動原稿給紙装置１４０の、原稿給紙ローラ１４２、スキャナ１４３および原稿排紙ローラ１４４とからなる原稿給紙手段と、原稿供給トレイ１４１と、を分離した構成を有している。
【０１６５】
また、この画像形成装置９００は、上面排紙部１５０の、上面搬送ローラ１５３、上面排紙ガイド板１５４および上面排紙ローラ１５２と、上面排紙台１５１と、を分離した構成を有している。
【０１６６】
また、この画像形成装置９００は、自動原稿給紙装置１４０の、原稿給紙ローラ１４２、スキャナ１４３および原稿排紙ローラ１４４とからなる原稿給紙手段と、上面排紙部１５０の、上面搬送ローラ１５３、上面排紙ガイド板１５４および上面排紙ローラ１５２と、装置本体と、を一体化した構成を有している。
【０１６７】
さらに、この画像形成装置９００は、自動原稿給紙装置１４０の原稿供給トレイ１４１と、上面排紙部１５０の上面排紙台１５１と、原稿カバー１２２と、を一体化した構成を有している。
【０１６８】
そして、この画像形成装置９００は、図９および図１０に示すように、一体化された原稿供給トレイ１４１、上面排紙台１５１および原稿カバー１２２のみを、装置本体に開閉自在に配設した構成を有している。
【０１６９】
このように、この画像形成装置９００においては、原稿供給トレイ１４１、上面排紙台１５１および原稿カバー１２２のみが開閉する構成であるので、原稿カバー１２２の開閉操作にあるさほど力を必要とせずユーザの負担を軽減することができる。
【０１７０】
また、この画像形成装置９００においては、上面排紙部１５０が装置本体と一体であるので、画像形成後の記録紙Ｐの排紙経路がずれることがない。さらに、この画像形成装置９００においては、図１０に示すように、厚みのあるブック原稿ＢＯを複写する手動複写モードの場合でも、上面排紙部１５０の上面排紙ローラ１５２の位置を上面排紙台１５１よりも上方位置に配置することができる。
【０１７１】
従って、この画像形成装置９００においては、手動複写モード、自動複写モードおよび外部入力プリントモードなどの全ての印刷モードで、上面排紙台１５１上に画像形成後の記録紙Ｐを排紙することが可能になる。なお、この画像形成装置９００は、実施の形態１に係る画像形成装置１００の場合と同様に、画像形成後の記録紙Ｐの排紙モードを上面排紙モードと本体排紙モードとのいずれかに適宜切り替えることも可能である。
【０１７２】
この画像形成装置９００における原稿カバーロック手段は、ロックアーム９０１と、ロックソレノイド９０２とで構成されている。そして、この画像形成装置９００は、図９に示すように、ロックソレノイド９０２がオンした状態で、ロックアーム９０１のフック部９０１ａが、原稿カバー１２２の側部に設けられた凹部１２２ａに係合して原稿カバー１２２が装置本体に係止される。
【０１７３】
なお、本例の画像形成装置９００におけるその他の構成および動作は、実施の形態１に係る画像形成装置１００の構成および動作と同様であるので、その説明を省略する。
【０１７４】
（実施の形態４）
次に、本発明の実施の形態４に係る画像形成装置について説明する。
【０１７５】
図１１は、本実施の形態４に係る画像形成装置の全体的な構成を示す概略断面図である。本実施の形態４に係る画像形成装置は、前述した本体排紙部１６０を装置本体の側面に配設した構成を有している。
【０１７６】
図１１に示すように、この画像形成装置１１００における本体排紙部１６０の本体排紙台１１０１は、装置本体の側面に支軸１１０２により開閉自在に取り付けられている。この本体排紙台１１０１は、平生、図１１に実線で示すように、装置本体の側面に沿うように閉じられており、その使用時に、図１１に二点鎖線で示すように、装置本体の側面から突出するように開放される。
【０１７７】
本例における本体排紙部１６０は、本体排紙台１１０１の開閉動作に連動してオン／オフする排紙台センサ１１０３を有している。この排紙台センサ１１０３は、本体排紙台１１０１が開放されている否かを検出している。
【０１７８】
図１１において、排紙台センサ１１０３は、本体排紙台１１０１が開放されるとオン状態となる。そして、排紙台センサ１１０３がオン状態になると、前述した排紙モード切替手段４００の排紙経路切替爪４０１が、図１１に実線で示す位置から破線で示す位置に遥動し、画像形成後の記録紙Ｐの排紙経路が本体排紙経路１８４ａ側に切り替えられる。
【０１７９】
なお、図１１において、排紙経路切替爪４０１が実線で示す位置にあるときは、画像形成後の記録紙Ｐの排紙経路が上面排紙経路１８３ａ側に切り替えられる。
【０１８０】
このように、本実施の形態４に係る画像形成装置１１００は、本体排紙台１１０１が装置本体の側面から突出するが、この本体排紙台１１０１は頻度の低い手動複写モード時にのみ使用されるので必要時以外は装置本体に収納しておくように構成できる。また、この画像形成装置１１００は、装置本体の胴部に空間を形成していないので筐体構造や外装の構成などが複雑になることがない。
【０１８１】
なお、本例の画像形成装置１１００におけるその他の構成および動作は、実施の形態１に係る画像形成装置１００の構成および動作と同様であるので、その説明を省略する。
【０１８２】
（実施の形態５）
次に、本発明の実施の形態５に係る画像形成装置について説明する。
【０１８３】
図１２は、本実施の形態５に係る画像形成装置の全体的な構成を示す概略断面図である。図１２に示すように、この画像形成装置１２００は、その本体排紙部１６０の本体排紙台１２０１が、装置本体の側面に配設した手差し給紙時に使用される手差トレイを兼ねた構成を有している。
【０１８４】
図１２において、本体排紙台１２０１は、装置本体の側面に支軸１２０２により開閉自在に取り付けられている。この本体排紙台１２０１は、平生、図１２に実線で示すように、装置本体の側面に沿うように閉じられており、その使用時に、図１２に二点鎖線で示すように、装置本体の側面から突出するように開放される。
【０１８５】
本例における本体排紙部１６０は、本体排紙台１２０１の開閉動作に連動してオン／オフする排紙台センサ１２０３を有している。この排紙台センサ１２０３は、本体排紙台１２０１が開放されている否かを検出している。
【０１８６】
図１２において、排紙台センサ１２０３は、本体排紙台１２０１が開放されるとオン状態となる。そして、排紙台センサ１２０３がオン状態になると、前述した排紙モード切替手段４００の排紙経路切替爪４０１が、図１２に実線で示す位置から二点鎖線で示す位置に遥動し、画像形成後の記録紙Ｐの排紙経路が本体排紙経路１８４ａ側に切り替えられる。
【０１８７】
なお、図１２において、排紙経路切替爪４０１が実線で示す位置にあるときは、画像形成後の記録紙Ｐの排紙経路が上面排紙経路１８３ａ側に切り替えられる。また、排紙経路切替爪４０１が図１２において破線で示す位置にあるときは、画像形成後の記録紙Ｐを、その画像形成面を反転させて給紙経路１８１ａに送り込む反転搬送経路１８６ａ側に切り替えられる。
【０１８８】
このように、本実施の形態５に係る画像形成装置１２００は、本体排紙台１２０１が前記手差トレイを兼ねているので、コストをかけたりスペースを確保したりせずに本体排紙部１６０を配設することができる。また、図示の画像形成装置１２００は、排紙経路切替爪４０１が、排紙搬送経路１８７ａを一旦抜け出た記録紙Ｐの搬送経路を、反転搬送経路１８６ａがわに切り替える反転切替爪１８８を兼ねた構成となるので、搬送系１８０この構成を簡素化することができる。
【０１８９】
なお、本例の画像形成装置１２００におけるその他の構成および動作は、実施の形態４に係る画像形成装置１１００の構成および動作と同様であるので、その説明を省略する。
【０１９０】
上述したように、本発明の各実施の形態に係る画像形成装置１００，９００，１１００，１２００は、前述の効果に加えて、外部からの画像情報を記憶手段としてのメモリ１９０（図１参照）に記憶しておくことができるので、例えば、読取部１２０の動作中であっても前記画像情報を待ち時間を発生させることなく受け取ることができる。
【０１９１】
また、これらの画像形成装置１００，９００，１１００，１２００は、読取部１２０が読み取った原稿の画像をすぐに印刷せずに、電子データとして外部に送信したりする場合にも利用される。このような場合には、ユーザがシート原稿Ｓまたはブック原稿ＢＯを抜き取った後に、原稿カバー１２２が装置本体に係止される。また、このような場合には、画像形成の指示がでていないので、本体排紙モードに入ることがないのはいうまでもない。
【０１９２】
また、これらの画像形成装置１００，９００，１１００，１２００においては、手動複写モードにおいて複写枚数が一枚のみの単発の複写を行う場合が多いので、メモリ１９０の容量が少なくてよく、ユーザを待たせる時間も少なくて済む。また、このような場合には、図６に示したような条件で原稿カバー１２２を装置本体に係止するようにすれば、シート原稿Ｓが原稿載置台１２１と原稿カバー１２２との間に閉じ込められて取り出せなくなることがない。
【０１９３】
また、これらの画像形成装置１００，９００，１１００，１２００においては、自動原稿給紙装置１４０を使用する自動複写モードで給紙原稿Ｏを複写するときは、この給紙原稿Ｏの有無を給紙原稿センサ１４６で検出できるので、画像形成後の記録紙Ｐの排紙モードを上面排紙モードに容易に切り替えることができる。なお、このような自動原稿給紙装置１４０を使用する自動複写モードでは、ユーザが原稿カバー１２２を開いて原稿載置台１２１上に手操作で原稿を載置することはないから、直ちに原稿カバー１２２を装置本体に係止することができ、画像形成後の記録紙Ｐのシートジャムを防止することができる。
【０１９４】
また、これらの画像形成装置１００，９００，１１００，１２００においては、原稿カバー１２２を装置本体に係止するときの条件として、カバー位置センサ５０３により「原稿カバー１２２の閉状態が検出されているときのみ」との条件をさらに加えても良い。
【０１９５】
また、これらの画像形成装置１００，９００，１１００，１２００においては、カバー位置センサ５０３により原稿カバー１２２が閉状態になっていないことが検出された場合に、装置本体の操作パネル（図示せず）に「原稿カバーを閉めてください」との表示をするようにしても良い。
【０１９６】
また、画像形成装置１１００，１２００においては、手動複写モードで、排紙台センサ１１０３または１２０３が、本体排紙台１１０１または１２０１が開状態にないことを検出した場合に、装置本体の操作パネルに「本体排紙台を開けて下さい」との表示をし、読取部１２０で読み取った画像情報をメモリ１９０に蓄積し、本体排紙台１１０１または１２０１が開放されるまで、画像形成部１３０による画像形成動作を待つようにしても良い。
【０１９７】
なお、本発明の各実施の形態に係る画像形成装置１００，９００，１１００，１２００では、画像形成部１３０の画像形成方式として電子写真方式による一例について説明したが、本発明は、同様の画像形成装置であればインクジェット方式など他の画像形成方式を用いたものにも適用できることはいうまでもない。
【産業上の利用可能性】
【０１９８】
本発明に係る画像形成装置は、画像形成頻度の高い画像情報により画像形成された記録媒体を装置本体上面部位に配設した上面排紙部に排紙でき、排紙された記録媒体の確認や取り出しを容易にして利便性を向上させることができるので、紙文書やブック原稿などを複写する複写機能、パーソナルコンピュータなどから送信される電子データなどをプリントアウトするプリント機能、およびファクシミリなどと送受信するファクシミリ機能等を有する多機能の複合機からなる画像形成装置として有用である。
【図面の簡単な説明】
【０１９９】
【図１】本発明の実施の形態１に係る画像形成装置の全体的な構成を示す概略断面図
【図２】本発明の実施の形態１に係る画像形成装置の手動複写モード時の動作態様を説明するための全体的な構成を示す概略断面図
【図３】本発明の実施の形態１に係る画像形成装置の自動複写モード時の動作態様を説明するための自動原稿給紙装置の構成を示す概略断面図
【図４】本発明の実施の形態１に係る画像形成装置の排紙モード切替手段の一例を示す概略構成図
【図５】本発明の実施の形態１に係る画像形成装置の原稿カバーロック手段の一例を示す概略構成図
【図６】本発明の実施の形態１に係る画像形成装置の外部入力プリントモード時における動作例を示すフローチャート
【図７】本発明の実施の形態１に係る画像形成装置の手動複写モード時における動作例を示すフローチャート
【図８】本発明の実施の形態２に係る画像形成装置の排紙モード切替手段の構成を示す概略構成図
【図９】本発明の実施の形態３に係る画像形成装置の全体的な構成を示す概略断面図
【図１０】本発明の実施の形態３に係る画像形成装置において厚みのあるブック原稿を複写する手動複写モード時の動作態様を説明するための全体的な構成を示す概略断面図
【図１１】本発明の実施の形態４に係る画像形成装置の全体的な構成を示す概略断面図
【図１２】本発明の実施の形態５に係る画像形成装置の全体的な構成を示す概略断面図
【符号の説明】
【０２００】
１００，９００，１１００，１２００  画像形成装置
１１０  受信部
１１１  ＬＡＮポート
１１２  モジュラー
１１３  カードスロット
１２０  読取部
１２１  原稿載置台
１２１ａ  原稿載置面
１２２  原稿カバー
１２３  走査光学系
１２４  原稿サイズセンサ
１３０  画像形成部
１３１  感光体
１３２  帯電器
１３３  露光装置
１３４  現像装置
１３５  転写ローラ
１３６  クリーニング装置
１３７  定着装置
１４０  自動原稿給紙装置
１４１  原稿供給トレイ
１４２  原稿給紙ローラ
１４３  スキャナ
１４４  原稿排紙ローラ
１４６  給紙原稿センサ
１５０  上面排紙部
１５１  上面排紙台
１５２  上面排紙ローラ
１５３  上面搬送ローラ
１５４  上面排紙ガイド板
１５５  ロック突起
１５５ａ  フック穴
１６０  本体排紙部
１６１  本体排紙台
１６２  本体排紙ローラ
１７０  給紙部
１７１  給紙カセット
１７２  カセット収納部
１７３  分離給紙装置
１８０  搬送系
１８１  給紙ガイド板
１８１ａ  給紙経路
１８２  レジストローラ
１８３  上面排紙ガイド板
１８３ａ  上面排紙経路
１８４  本体排紙ガイド板
１８４ａ  本体排紙経路
１８５  反転搬送ローラ
１８６  反転搬送ガイド板
１８６ａ  反転搬送経路
１８７  排紙ガイド板
１８７ａ  排紙搬送経路
１８８  反転切替爪
１９０  メモリ
４００，８００  排紙モード切替手段
４０１，８０１  排紙経路切替爪
４０３，８０３  切替アーム
４０４  切替ソレノイド
５００  原稿カバーロック手段
５０１，９０１  ロックアーム
５０１ａ，９０１ａ  フック部
５０２，９０２  ロックソレノイド
５０３  カバー位置センサ
８０４  コイルスプリング
８０５  切替連動アーム
１１０１，１２０１  本体排紙台
１１０３，１２０３  排紙台センサ
Ｏ  給紙原稿
Ｐ  記録紙
Ｓ  シート原稿
ＢＯ  ブック原稿
【図１】
2005306542.tif 000003
【図２】
2005306542.tif 000004
【図３】
2005306542.tif 000005
【図４】
2005306542.tif 000006
【図５】
2005306542.tif 000007
【図６】
2005306542.tif 000008
【図７】
2005306542.tif 000009
【図８】
2005306542.tif 000010
【図９】
2005306542.tif 000011
【図１０】
2005306542.tif 000012
【図１１】
2005306542.tif 000013
【図１２】
2005306542.tif 000014